(57)【要約】【課題】  泥棒などが各住戸に簡単に浸入できない外部足場装置を提供することである。【解決手段】  外部足場装置１は、建物４の外壁面５に対峙させて組立形成された外部足場６が伸縮自在な壁繋ぎ用金具７で外壁１６に固定され、外部足場６の下面に設けられたローラー８が、外壁面５と直行して敷設された走行レール９上に設置され、前記壁繋ぎ用金具７の伸縮とともに外部足場６が走行レール９上を移動することである。【選択図】図１
2006249817.tif 000002
【特許請求の範囲】
【請求項１】
建物の外壁面に対峙させて組立形成された外部足場が伸縮自在な壁繋ぎ用金具で外壁に固定され、外部足場の下面に設けられたローラーが、外壁と直行して敷設された走行レール上に設置され、前記壁繋ぎ用金具の伸縮とともに外部足場が走行レール上を移動することを特徴とする外部足場装置。
【請求項２】
壁繋ぎ用金具は外部足場の建枠に取り付けられた外筒と、該外筒内に出没自在に収納されかつ先端に壁繋ぎ材が接続された内筒とからなり、該内筒が外筒に収納された状態で、外筒と内筒とに設けた貫通孔に挿入されたロックピンで内筒がロックされ、該ロックピンが建枠に沿って取り付けられた上下動自在な操作レバーに接続されていることを特徴とする請求項１に記載の外部足場装置。
【請求項３】
操作レバーには同じ建枠に設置された外筒のロックピンが全て接続されたことを特徴とする請求項１または２に記載の外部足場装置。
【発明の詳細な説明】
【技術分野】
【０００１】
本願発明は外部足場装置に関するものである。
【背景技術】
【０００２】
共同住宅を大規模に改修する場合は、図９に示すように、入居者が入居している状態で外壁面３０の全面に対峙させて外部足場３１を組立形成している。この場合、外部足場３１を利用して各住戸に泥棒が侵入するおそれがあるため、外部足場３１の最下部のみを金網３２で囲って鍵付き扉を設けている。その他にも外部足場にセンサーを設置し、受信装置を持たないで外部足場に浸入すると防犯ベルが鳴るようになっている。また、その他の外部足場としては、例えば特開２００４−５２４５５号の発明が知られている。
【特許文献１】特開２００４−５２４５５号公報
【発明の開示】
【発明が解決しようとする課題】
【０００３】
しかし、上記の前者の外部足場は簡単に２段目によじ登ってどこにでも自由に移動できてしまうという問題点があった。また後者の外部足場は、建物が雁行している場合に多くのセンサーが必要になるという問題があった。
【０００４】
本願発明はこれらの問題に鑑みてなされたものであり、その目的は、泥棒などが各住戸に簡単に浸入できない外部足場装置を提供することである。
【課題を解決するための手段】
【０００５】
以上の課題を解決するための外部足場装置は、建物の外壁面に対峙させて組立形成された外部足場が伸縮自在な壁繋ぎ用金具で外壁に固定され、外部足場の下面に設けられたローラーが、外壁と直行して敷設された走行レール上に設置され、前記壁繋ぎ用金具の伸縮とともに外部足場が走行レール上を移動することを特徴とする。また壁繋ぎ用金具は外部足場の建枠に取り付けられた外筒と、該外筒内に出没自在に収納されかつ先端に壁繋ぎ材が接続された内筒とからなり、該内筒が外筒に収納された状態で、外筒と内筒とにわたって開口された貫通孔に挿入されたロックピンで内筒がロックされ、該ロックピンが建枠に沿って取り付けられた上下動自在な操作レバーに接続されたことを含む。また操作レバーには同じ建枠に設置された外筒のロックピンが全て接続されていることを含むものである。
【発明の効果】
【０００６】
壁繋ぎ用金具が伸張してローラーが走行レールを走行することにより、外部足場が建物から泥棒が入れないくらい離れるので、外部足場を利用して泥棒が各住戸に浸入するのを防げる。また泥棒が入れないくらい建物から離れた外部足場を、作業開始時には壁繋ぎ用金具を縮めるとともに、再び建物に近づけることができる。このように外部足場が建物に近づいたり、建物から離れた時に、外筒と内筒とにわたって開口した貫通孔にロックピンが挿入されて、壁繋ぎ用金具をロックして伸縮できなくするので、外部足場を移動させることができない。またロックピンは操作レバーを地上から上側に押し上げることにより、外筒と内筒とにわたって開口した貫通孔から引き抜くことができ、引き抜いた後は、同じように地上から操作レバーを下側に押し下げることにより貫通孔に挿入することができる。
【発明を実施するための最良の形態】
【０００７】
以下、本願発明の外部足場装置の実施の形態を図面に基づいて説明する。この外部足場装置１は、図１〜図３に示すように、鋼管の建枠２を組み合わせて建物４の外壁面５から適宜離れた箇所に対峙させた外部足場６が伸縮自在な壁繋ぎ用金具７で外壁面５に接続・支持されるとともに、外部足場下面の電動ローラー８によって外壁面５と直行して敷設した走行レール９上に設置されて構成されている。
【０００８】
この外部足場６の下部が足場ベースフレーム１０により、ローラー架台１１に設置され、このローラー架台１１の下面に設置された電動ローラー８が地面に敷設した走行レール９上に設置されている。したがって、電動ローラー８が走行レール９上を走行して外部足場６が建物４から離れたり、離れた箇所から元の箇所に戻ったりする。
【０００９】
このように電動ローラー８が走行レール９上を走行して外部足場６が建物４から離れたり、戻ったりするには、壁繋ぎ用金具７が伸縮する必要がある。この壁繋ぎ用金具７は、図４及び図５に示すように、建枠２の適宜箇所に固定環１２で取り付けられ、該固定環１２が設置された外筒１３から壁繋ぎ材１４が伸びて先端のボルト１５が外壁１６にねじ込まれている。
【００１０】
この壁繋ぎ材１４は、外筒１３内に収納された内筒１７の先端にネジ１８で接続され、該内筒１７が外筒１３から送り出されることにより内筒１７の長さ分伸びるようになっている。この内筒１７は外筒１３に収納された状態では、これらにわたって貫通した貫通孔１９に挿入されたロックピン２０でロックされて送り出せないようになっており、この状態で建物４の外壁１３に接続されて、作業時の外部足場６を形成している。
【００１１】
また図６および図７に示すように、建枠２の各高さ位置における壁繋ぎ用金具７のロックピン２０は、それぞれ建枠２に沿って取り付けられた操作レバー２１の側面に接続管２２で取り付けられ、外筒１３と内筒１７との貫通孔１９に上側から挿入されている。この操作レバー２１は、図６に示すように、建枠２にガイド管２３で取り付けられて上げ下げでき、建枠２の下部における摘み２４で操作レバー２１を上側に上げるとロックピン２０が貫通孔１９から抜けて、内筒１７のロックが解除されて送り出しが可能になり、摘み２４をレバー２５でロックすると、ロックピン２０が貫通孔１９から抜けたままになる。
【００１２】
そして、図８の（１）および（２）に示すように、内筒１７のロックが解除されると、内筒１７が外筒１３から送り出し可能になるので、この内筒１７を送り出して壁繋ぎ用金具７を伸張させるとともに、電動ローラー８を走行させると、外部足場６が走行レール９上を移動して、建物４から泥棒が入れない位置、例えば建物４から１．５ｍの位置に離れる（図７参照）。
【００１３】
そして、図８の（３）に示すように、電動ローラー８をロックすると、その位置で外部足場６が固定されるとともに、壁繋ぎ用金具７も内筒後端部の嵌合雄部２６が外筒先端部の嵌合雌部２７に嵌合されてロックされる。この内筒後端部の嵌合雄部２６は後端に向かって漸次大径に形成され、外筒先端部の嵌合雌部２７は先端に向かって漸次小径になっているので、内筒１７が送り出されると、これらが楔結合してロックされた状態になる。そして、壁繋ぎ用金具７の先端と建枠２とにブレース（図示せず）を設置して外部足場６を補強する。なお、このブレースは設置しなくても良い。
【００１４】
このように外部足場６を建物４からかなり離れた位置に移動させて、建物４との距離を大きく取ったため、この外部足場６を利用して泥棒が各住戸に浸入するのを防ぐことができる。
【００１５】
そして、作業を開始するときには、この位置から外部足場６を元に位置に戻す。はじめに電動ローラー８のロックを解除するとともに、電動ローラー８を走行させて外部足場６を建物側に移動させると、壁繋ぎ用金具７における内筒１７と外筒１３とのロック状態も解除されて、内筒１７が外筒１３内に収納されて壁繋ぎ用金具７が収縮する。
【００１６】
そして、外部足場６が元の箇所に戻るとともに、内筒１７も外筒１３内に収納されたら、電動ローラー８をロックするとともに、図４および図５に示すように、摘み２４により操作レバー２１を下に押し下げてロックピン２０を外筒１７と内筒１３との貫通孔１９に挿入して壁繋ぎ用金具７をロックすると、外部足場６が全体として固定されるため作業が可能になる。
【００１７】
このように作業が終わった後に、外部足場６を建物４から所定の位置に離して泥棒などの侵入を防ぐとともに、作業開始時には、再び元の位置に戻すようにする。なお、上記の実施の形態においてローラーは電動にしたが、これは電動に限らず、手動であってもよい。また内筒１７も一本であったが、一本に限らず、複数本にすることもできる。
【図面の簡単な説明】
【００１８】
【図１】（１）は外部足場の側面図、（２）は電動ローラーの側面図である。
【図２】外部足場の平面図である。
【図３】（１）は外部足場の正面図、（２）は電動ローラーの断面図である。
【図４】壁繋ぎ用金具の正面図である。
【図５】（１）は壁繋ぎ用金具の断面図、（２）は（１）のＡ−Ａ線断面図である。
【図６】（１）は壁繋ぎ用金具の外筒の断面図、（２）は同摘み部の断面図である。
【図７】外部足場を建物から離した側面図である。
【図８】（１）は壁繋ぎ用金具の正面図、（２）は壁繋ぎ用金具の外筒の断面図、（３）は壁繋ぎ用金具の断面図である。
【図９】従来の外部足場であり、（１）は側面図、（２）は平面図である。
【符号の説明】
【００１９】
１  外部足場装置
２  建枠
４  建物
５、３０  外壁面
６、３１  外部足場
７  壁繋ぎ用金具
８  電動ローラー
９  走行レール
１０  足場ベースフレーム
１１  ローラー架台
１２  固定環
１３  外筒
１４  壁繋ぎ材
１５  ボルト
１６  外壁
１７  内筒
１８  ネジ
１９  貫通孔
２０  ロックピン
２１  操作レバー
２２  接続管
２３  ガイド管
２４  摘み
２５  レバー
２６  嵌合雄部
２７  嵌合雌部
３２  金網
【図１】
2006249817.tif 000003
【図２】
2006249817.tif 000004
【図３】
2006249817.tif 000005
【図４】
2006249817.tif 000006
【図５】
2006249817.tif 000007
【図６】
2006249817.tif 000008
【図７】
2006249817.tif 000009
【図８】
2006249817.tif 000010
【図９】
2006249817.tif 000011